(57)【要約】      （修正有）【課題】本発明の態様に係る目的は度数を変化させることができる眼鏡レンズを提供する。【解決手段】眼鏡レンズは、光が透過する透過領域と光が透過しない非透過領域とを有する回折格子のパターンが電気活性によって発現し、電気的に失活することによって逼塞する、電気活性フレネルゾーンプレート２０を有する。【選択図】図１
2020106645.tif 000002
【特許請求の範囲】
【請求項１】
光が透過する透過領域と光が透過しない非透過領域とを有する回折格子のパターンが電気活性によって発現し、電気的に失活することによって逼塞する、電気活性フレネルゾーンプレートを有する
眼鏡レンズ。
【請求項２】
前記パターンは動的に決定される
請求項１に記載の眼鏡レンズ。
【請求項３】
前記パターンは使用者の処方度数に応じて動的に決定される
請求項２に記載の眼鏡レンズ。
【請求項４】
前記パターンは使用者の視線に応じて動的に決定される
請求項２に記載の眼鏡レンズ。
【請求項５】
前記パターンが発現していない場合の透過率は、前記パターンが発現している場合の透過率に応じている
請求項１から請求項４のいずれか一項に記載の眼鏡レンズ。
【請求項６】
前記パターンが発現している場合における前記非透過領域の外観は、当該眼鏡レンズが装用された状態において目立たない
請求項１から請求項５のいずれか一項に記載の眼鏡レンズ。
【発明の詳細な説明】
【技術分野】
【０００１】
本発明は、眼鏡レンズに関する。
【背景技術】
【０００２】
従来の累進レンズでは、レンズの領域毎に度数が決められており、近用領域や遠用領域などの領域が、物体を見る距離によって使い分けられる。従来の累進レンズでは、領域毎に度数が固定されている。
フレネルレンズ型の電気活性な液晶レンズにおいて、電気的な制御によって焦点が調整可能であるレンズが知られている（特許文献１）。
【先行技術文献】
【特許文献】
【０００３】
【特許文献１】特開２０１３−４７８２３号公報
【発明の概要】
【０００４】
本発明の一態様における眼鏡レンズは、光が透過する透過領域と光が透過しない非透過領域とを有する回折格子のパターンが電気活性によって発現し、電気的に失活することによって逼塞する、電気活性フレネルゾーンプレートを有する。
【図面の簡単な説明】
【０００５】
【図１】本発明の実施形態に係る眼鏡の一例を示す図である。
【図２】本発明の実施形態に係るフレネルゾーンプレートの一例を示す図である。
【図３】本発明の実施形態に係るフレネルゾーンプレートのパターンの一例を示す図である。
【図４】本発明の実施形態に係る可変領域が備えられる位置の一例を示す図である。
【図５】本発明の実施形態に係る不正乱視を波面補正の方法の一例を示す図である。
【発明を実施するための形態】
【０００６】
（実施形態）
以下、図面を参照しながら本発明の実施形態について詳しく説明する。図１は、本実施形態に係る眼鏡１の一例を示す図である。眼鏡１は、右眼用眼鏡レンズ１１と、左眼用眼鏡レンズ１２とを備える。
右眼用眼鏡レンズ１１は、右眼用可変領域１１１と、右眼用非可変領域１１２とを有する。右眼用眼鏡レンズ１１は、右眼用可変領域１１１に右眼用フレネルゾーンプレート１３を有する。左眼用眼鏡レンズ１２は、左眼用可変領域１２１と、左眼用非可変領域１２２とを有する。左眼用眼鏡レンズ１２は、左眼用可変領域１２１に左眼用フレネルゾーンプレート１４を有する。
【０００７】
右眼用眼鏡レンズ１１と、左眼用眼鏡レンズ１２との構成は同様であるため、以下では右眼用眼鏡レンズ１１と、左眼用眼鏡レンズ１２とを区別しない場合には眼鏡レンズ１０と総称して説明する。当該場合においては、右眼用フレネルゾーンプレート１３と、左眼用フレネルゾーンプレート１４とをフレネルゾーンプレート２０と総称して説明する。当該場合においては、右眼用可変領域１１１と、左眼用可変領域１２１とを可変領域３０と総称して説明する。右眼用非可変領域１１２と、左眼用非可変領域１２２とを非可変領域４０と総称して説明する。
【０００８】
非可変領域４０は、一例として、遠くの物体を見るための領域である遠用領域として用いられる。可変領域３０は、フレネルゾーンプレート２０によって焦点距離を変更可能な領域である。可変領域３０は、一例として、近くの物体を見るための領域である近用領域、及び遠用領域として用いられる。
【０００９】
ここで図２を参照し、フレネルゾーンプレート２０について説明する。図２は、本実施形態に係るフレネルゾーンプレート２０の一例を示す図である。
【００１０】
フレネルゾーンプレート２０は、透過領域Ｔ（透過領域Ｔ１、Ｔ２、Ｔ３、・・・Ｔｎ）と、非透過領域Ｎ（非透過領域Ｎ１、Ｎ２、Ｎ３、・・・Ｎｎ）とが交互に配置された同心円状の輪帯である。透過領域Ｔとは、光を通す輪帯である。非透過領域Ｎとは、フレネルゾーンプレート２０が電気活性の状態にある場合において光を吸収または反射させる輪帯である。非透過領域Ｎは、フレネルゾーンプレート２０が電気活性の状態にない場合においては光を通す。
【００１１】
中心Ｏは、フレネルゾーンプレート２０の同心円の中心である。半径ｒ１は非透過領域Ｎ１の半径を示し、半径ｒ２は透過領域Ｔ１の半径を示す。ここで透過領域の半径には中心Ｏに近い半径と、中心Ｏから遠い外側の半径とがあるが、フレネルゾーンプレートの定義における半径では外側の半径を用いる。そして半径ｒ３は非透過領域Ｎ２の半径を示す。つまり、非透過領域は奇数番目の半径によって定められ、透過領域は偶数番目の半径によって定められる。
【００１２】
フレネルゾーンプレート２０では、電気活性によってパターンＰが発現する。また、フレネルゾーンプレート２０では、パターンＰが電気的に失活することによって逼塞する。パターンＰとは、フレネルゾーンプレート２０が電気活性の状態にある場合において、上述した透過領域Ｔと、非透過領域Ｎとによって形成される同心円状のパターンである。ここで透過領域Ｔと非透過領域Ｎとは交互に配置されているため、パターンＰが発現したフレネルゾーンプレート２０は回折格子として機能する。
つまり、フレネルゾーンプレート２０では、光が透過する透過領域と光が透過しない非透過領域とを有する回折格子のパターンが電気活性によって発現し、電気的に失活することによって逼塞する。
【００１３】
フレネルゾーンプレート２０では、パターンＰが発現し、透過領域Ｔを透過する光は回折する。フレネルゾーンプレート２０では、透過領域Ｔを通じて回折する回折光の回折角によって、眼鏡レンズ１０の可変領域３０の焦点距離が変化する。つまり、眼鏡レンズ１０の度数も回折角によって変化する。
【００１４】
フレネルゾーンプレート２０はパターンＰを発現させることによって、一例として、可変領域３０の焦点距離を、遠用領域に対応する焦点距離から近用領域に対応する焦点距離へと変化させる。
【００１５】
ここで図３を参照し、フレネルゾーンプレート２０のパターンＰについて説明する。図３は、本実施形態に係るフレネルゾーンプレート２０のパターンＰの一例を示す図である。図３の部分Ａは、図２の部分Ａに対応する。パターンＰは、非透過領域Ｎの半径の組によって指定される。
【００１６】
図３の例では、パターンＰは、半径ｒ１、半径ｒ２、半径ｒ３、半径ｒ４、半径ｒ５、半径ｒ６、半径ｒ７、半径ｒ８、及び半径ｒ９の組によって指定される。それぞれの半径の長さは式（１）によって、決定される。
【００１７】
【数１】
2020106645.tif 000003
【００１８】
ここで式（１）において、ｎは輪帯がｎ番目であること、ｆは焦点距離、λは光の波長を示す。光学設計では一般的に波長５４６ｎｍのｅ線が基準として用いられる。式（１）でもλは波長５４６ｎｍが一般的に用いられる。
【００１９】
フレネルゾーンプレート２０では、所望の度数に応じて、非透過領域Ｎの半径の組によって指定されるパターンＰが決定される。焦点距離を短くするには式（１）におけるｆの値を小さく設定すればよい。
なお、本実施形態では、一例として、フレネルゾーンプレート２０のパターンＰは、眼鏡レンズ１０の製造時に決定され固定される。
【００２０】
平面に貼り付けられた場合のフレネルゾーンプレートの各輪帯のｎ番目の半径ｒｎは、上述の式（１）によって表現される。フレネルゾーンプレート２０は眼鏡レンズ１０の曲面に貼り付けられているため、フレネルゾーンプレート２０の各輪帯のｎ番目の半径は、平面に貼り付けられた場合の半径ｒｎを、曲面に対応するように変換して算出される。
【００２１】
図１に戻って眼鏡１の説明を続ける。
フレネルゾーンプレート２０には、例えば、エレクトロクロミック、電子ミラー、及び電気泳動表示素子などが用いられる。フレネルゾーンプレート２０の電気活性を切り替えるためのスイッチ、及び電源（いずれも不図示）は、例えば、眼鏡１のフレームに備えられる。
【００２２】
なお、フレネルゾーンプレート２０には、液晶が用いられてもよい。ただし、液晶の封入によって可変レンズ部分が狭くなる場合があるため、眼鏡レンズ１０において可変レンズ部分の範囲の制限を小さくするためには、フレネルゾーンプレート２０は、上述したエレクトロクロミック、電子ミラー、及び電気泳動表示素子などが用いられることが好ましい。
【００２３】
フレネルゾーンプレート２０は、眼鏡レンズ１０の物体側の表面に備えられる。なお、フレネルゾーンプレート２０は、眼鏡レンズ１０の内部の層に備えられてもよい。
【００２４】
なお、非透過領域Ｎには、パターンＰが発現している場合における非透過領域Ｎの外観が、眼鏡レンズ１０が装用された状態において目立たなくするための処理が施されてもよい。例えば、パターンＰが発現している場合に眼鏡レンズ１０を装用した状態において外観が目立つことのないように、非透過領域Ｎをミラーにする、眼鏡レンズ１０の使用者の肌の色と同じ色または使用者の肌の色と似た色で遮光するなどの処理が施されてもよい。
【００２５】
ここで眼鏡レンズ１０の透過率について説明する。
上述したようにフレネルゾーンプレート２０は、透過領域Ｔと、非透過領域Ｎとが交互に配置されているため、眼鏡レンズ１０の表面において、可変領域３０と、非可変領域４０とで明るさが異なる場合がある。可変領域３０と、非可変領域４０とで明るさが異なる場合があるため、可変領域３０を近用領域として用いて近くの物体を見た場合と、非可変領域４０を遠用領域として用いて遠くの物体を見た場合とにおいて明るさが異なる場合がある。
【００２６】
そこで眼鏡レンズ１０において、非可変領域４０の透過率と、可変領域３０においてパターンＰが発現していない場合の透過率とは、パターンＰが発現している場合の可変領域３０の透過率に応じて低くしてもよい。例えば、これらの透過率を一致させてよい。
つまり、眼鏡レンズ１０において、フレネルゾーンプレート２０のパターンＰが発現していない場合の透過率は、パターンＰが発現している場合の透過率に応じていてもよい。
【００２７】
本実施形態では、可変領域３０の位置は、眼鏡レンズ１０における中央である。可変領域３０の位置は、眼鏡レンズ１０における中央以外の位置であってもよい。例えば、下方の近くの物体を見る場合には、眼鏡レンズ１０の下方に可変領域３０が備えられ、上方の近くの物体を見る場合には、眼鏡レンズ１０の上方に可変領域３０が備えられてもよい。
可変領域３０の位置が眼鏡レンズ１０における中央以外の位置に備えらえる場合、パターンＰは、非透過領域Ｎの半径の組に加え、同心円の中心Ｏの位置によって指定される。
また、眼鏡レンズ１０は、用途に応じて可変領域３０を複数有してもよい。
【００２８】
ここで図４を参照し、可変領域３０が備えられる位置の他の例について説明する。図４は、本実施形態に係る可変領域３０が備えられる位置の一例を示す図である。図４の眼鏡レンズ１０ａとは、眼鏡レンズ１０において可変領域３０が複数中央以外の位置に備えられた場合の眼鏡レンズである。可変領域３１ａ、及び可変領域３２ａは、中央以外の位置に備えられる可変領域３０の一例である。
【００２９】
例えば読書をする場合、本の紙面に向けられる使用者の視線は、使用者の姿勢によって様々に変わり得る。例えば、椅子に座って本を読む場合には、視線は水平方向からやや下方に向けられる。また例えば、仰向けになって頭上に持ち上げて本を読む場合には、視線は鉛直方向つまりレンズの中心を通る方向か、もしくは鉛直方向からレンズの上部にややずれた方向に向けられる。
【００３０】
方向Ｄ１は、使用者の眼Ｅが物体Ｏ１を見る場合の視線の方向である。物体Ｏ１は、例えば、椅子に座って本を読む場合の本の紙面である。方向Ｄ２は、使用者の眼Ｅが物体Ｏ２を見る場合の視線の方向である。物体Ｏ２は、例えば、仰向けになって頭上に持ち上げて本を読む場合の本の紙面である。
【００３１】
点ＥＰ１は、方向Ｄ１と眼鏡レンズ１０ａとの交点である。眼鏡レンズ１０ａでは、可変領域３１ａは、可変領域３１ａが点ＥＰ１を含む位置に備えられる。点ＥＰ２は、方向Ｄ２と眼鏡レンズ１０ａとの交点である。眼鏡レンズ１０ａでは、可変領域３２ａは、可変領域３２ａが点ＥＰ２を含む位置に備えられる。
可変領域３０が複数備えられる場合には、眼鏡レンズ１０を装用した使用者が様々な姿勢で読書をする場合などに好適である。
【００３２】
本実施形態では、フレネルゾーンプレート２０のパターンＰが固定である場合について説明したが、これに限らない。パターンＰは動的に決定されてもよい。
例えば、パターンＰは、眼鏡１の使用者の処方度数に応じて動的に決定されてもよい。パターンＰが眼鏡１の使用者の処方度数に応じて動的に決定される場合、パターンＰは眼鏡レンズ１０の製造時に処方度数に応じて決定され、固定されたパターンとなる。
【００３３】
別の例では、パターンＰは、眼鏡レンズ１０の使用時の見る物体の距離に応じて、使用者の操作によって変更可能であってもよい。パターンＰが使用者の操作によって変更可能である場合においても、パターンＰは使用者の処方度数に応じて決定されたパターンを含んでよい。
【００３４】
また、パターンＰは、眼鏡１の使用者の視線に応じて発現位置が動的に決定されてもよい。パターンＰが眼鏡１の使用者の視線に応じて動的に決定される場合、パターンＰは、一例として、微細なドットマトリックスである。眼鏡１には、使用者の視線を検出する視線センサが備えられ、パターンＰは、当該視線センサが検出した視線の方向に応じて即時に変化する。
例えば、ドットマトリックスとしてのパターンＰは、フレネルゾーンプレート２０において視線センサによって検出された視線と眼鏡レンズ１０との交点を含む領域において発現するように変化する。
別の例では、発現位置が動的なパターンＰは、操作ボタンが操作されることによって、その発現位置を変化する。
【００３５】
本実施形態では、フレネルゾーンプレート２０のパターンＰは、同心円である場合について説明したが、これに限らない。フレネルゾーンプレートのパターンは、処方度数等の条件に合わせられた同心楕円状のパターンであってもよい。同心楕円状のパターンを有するフレネルゾーンプレートは、乱視補正となる。
【００３６】
また、フレネルゾーンプレート２０のパターンＰの輪帯の形状を円から不正乱視に合わせて変えれば、角膜・水晶体・網膜の形状に起因する不正乱視を波面補正することもできる。
【００３７】
ここで図５を参照し、不正乱視を波面補正の方法について説明する。図５は、本実施形態に係る不正乱視を波面補正の方法の一例を示す図である。
従来、角膜形状解析装置を用いて同心円状のパターンを角膜に反射させて、角膜に映ったパターンを観察することによって、角膜の乱視状態の検査が行われることがある。正常な状態では角膜に映ったパターンは正円であるが、不正乱視の状態では円が崩れる。図５に示す不正乱視パターンＡＰは角膜に映ったパターンの一例であり、円が崩れており不正乱視の状態に対応する。
【００３８】
円が崩れた不正乱視パターンＡＰのうち部分Ｃを中心として軸度ＡＸの位置における屈折力を求める。ここで部分Ｃは、角膜形状解析装置の同心円状のパターンの中心が映った部分である。この軸度ＡＸの位置における屈折力を求める操作を、３６０度全ての軸度について繰り返し、各軸度ＡＸの位置の屈折力を求める。
【００３９】
求めた屈折力に基づいて、眼の軸度による屈折力の相対変化とは逆方向の変化を、フレネルゾーンプレート２０の輪帯半径に対して軸度毎に反映させる。ここで眼の軸度は、０度から３６０度までの範囲に値をもつ。
なお本実施形態における眼の軸度は、一般的な眼の乱視軸度とは異なる。一般的な定義では、眼の軸度は、中心を通る直線であるため０度から１８０度までの範囲に値をもつ。一方、本実施形態では眼の軸度ＡＸは、中心から片側に伸びた直線であるため、０度から３６０度までの範囲に値をもつ。
【００４０】
以上に説明したように、本実施形態に係る眼鏡レンズ１０は、光が透過する透過領域Ｔと光が透過しない非透過領域Ｎとを有する回折格子のパターンＰが電気活性によって発現し、電気的に失活することによって逼塞する、電気活性フレネルゾーンプレート（この一例において、フレネルゾーンプレート２０）を有する。
この構成により、本実施形態に係る眼鏡レンズ１０は、眼鏡レンズ１０に入る光を回折させることができるため、度数を変化させることができる。従来の累進レンズでは、物体を見る距離によってレンズ内の領域が使い分けられ、物体を見る距離によってレンズ内の一部の領域しか用いることができなかった。本実施形態に係る眼鏡レンズ１０では、電気活性フレネルゾーンプレート（この一例において、フレネルゾーンプレート２０）は電気活性によってパターンＰが発現するため、例えば、近くの物体を見る場合にパターンＰを発現させて、電気活性フレネルゾーンプレート（この一例において、フレネルゾーンプレート２０）の面積に応じて従来の累進レンズに比べて眼鏡レンズ１０の広い領域を近用領域に用いることができる。
【００４１】
また、本実施形態に眼鏡レンズ１０では、電気活性フレネルゾーンプレート（この一例において、フレネルゾーンプレート２０）のパターンＰは動的に決定される。
この構成により、本実施形態に眼鏡レンズ１０では、度数が動的に決定されるため、度数が所定の度数に固定される場合に比べて適切な度数を有することができる。ここで適切な度数とは、眼鏡レンズ１０の使用者にとって所望の物体が見やすくなるように適切に矯正された度数である。
【００４２】
また、本実施形態に眼鏡レンズ１０では、電気活性フレネルゾーンプレート（この一例において、フレネルゾーンプレート２０）のパターンＰは、使用者の処方度数に応じて動的に決定される。
この構成により、本実施形態に眼鏡レンズ１０では、パターンＰが発現した領域の度数を使用者の処方度数に応じた度数にすることができるため、パターンＰが発現した領域の度数が処方度数に合っていない事態が起こることを防ぐことができる。
【００４３】
また、本実施形態に眼鏡レンズ１０では、電気活性フレネルゾーンプレート（この一例において、フレネルゾーンプレート２０）のパターンＰは、使用者の視線に応じて動的に決定される。
この構成により、本実施形態に眼鏡レンズ１０では、使用者の視線に応じた領域の度数を変化させることができ、スイッチなどによって電気活性フレネルゾーンプレート（この一例において、フレネルゾーンプレート２０）を制御する必要がないため、電気活性フレネルゾーンプレート（この一例において、フレネルゾーンプレート２０）の操作を不要とすることができる。
【００４４】
また、本実施形態に眼鏡レンズ１０では、電気活性フレネルゾーンプレート（この一例において、フレネルゾーンプレート２０）のパターンＰが発現していない場合の透過率は、パターンＰが発現している場合の透過率に応じている。
この構成により、本実施形態に眼鏡レンズ１０では、電気活性フレネルゾーンプレート（この一例において、フレネルゾーンプレート２０）のパターンＰが発現している場合の明るさと、電気活性フレネルゾーンプレート（この一例において、フレネルゾーンプレート２０）のパターンＰが発現していない場合の明るさとの差を低減できるため、電気活性フレネルゾーンプレート（この一例において、フレネルゾーンプレート２０）の発現や逼塞に伴う明るさの変化を使用者が感じにくい。
【００４５】
また、本実施形態に眼鏡レンズ１０では、パターンＰが発現している場合における非透過領域Ｎの外観は、眼鏡レンズ１０が装用された状態において目立たない。
この構成により、本実施形態に眼鏡レンズ１０では、パターンＰが発現している場合においてもパターンＰが発現していない場合と比べて外観の変化が少なくなるため、外観が目立たない。
【００４６】
以上、図面を参照してこの発明の一実施形態について詳しく説明してきたが、具体的な構成は上述のものに限られることはなく、この発明の要旨を逸脱しない範囲内において様々な設計変更等をすることが可能である。
【符号の説明】
【００４７】
１…眼鏡、１０…眼鏡レンズ、２０…フレネルゾーンプレート、Ｐ…パターン、Ｔ…透過領域、Ｎ…非透過領域
【図１】
2020106645.tif 000004
【図２】
2020106645.tif 000005
【図３】
2020106645.tif 000006
【図４】
2020106645.tif 000007
【図５】
2020106645.tif 000008